(57)【特許請求の範囲】
【請求項１】
中空状のハウジングと、該ハウジングの上端開口部を閉塞すると共にターミナルが埋設されたキャップと、前記ターミナルの先端部に固定され、前記ハウジングの内部に配設されるリードスイッチと、該リードスイッチの内蔵されたハウジング部の外周に遊嵌されたフロートと、該フロートの頂部に固定されたマグネットとからなり、前記キャップが前記ハウジングの上端開口部に閉塞された際には当該キャップの上面とハウジングの頂面とが同一基準面となり、前記キャップの上面と下端面との寸法が正確に設定され、リードスイッチの端子はその長さが一定に設定され、該リードスイッチの一方の端子の先端を前記キャップの下端面に突き当てた状態で前記ターミナルに位置固定されて前記キャップが前記ハウジングに面一に閉塞される事により、リードスイッチの前記ハウジングの頂面に対する位置を設定できるように構成されたことを特徴とするフロート式液面計。
【発明の詳細な説明】
【０００１】
【発明の属する技術分野】
本発明は、液面が所定の高さになった場合に信号を発し、特に自動車や二輪車の燃料タンク等に使用するフロート式液面計の改良に関するものである。
【０００２】
【従来の技術】
一般に、例えば図４に示すようにハウジング５の中空部５ａに予め引き出し線６の両端にハンダ付けしたリードスイッチ７を挿入し、その後から接着シール材８を封入して、リードスイッチ７の高さ位置を固定するものであった。ハウジング５の下端の細径部には、マグネット９を有したフロート１０が遊嵌されている。また、ハウジング５の最下端には、ストッパー１１が固定されており、フロート１０が落下するのを防止している。
【０００３】
また、他の従来例として、図５に示すようにハウジング５の内部にリードスイッチ７が配設され、このリードスイッチ７は、ターミナル１２が挿通して設けられたキャップ１３で保持されている。リードスイッチ７は、端子の一方がターミナル１２にワイヤー１４を介して２箇所Ａ、Ｂでハンダ付けされている。また、ワイヤー１４には、絶縁チューブ１５が挿通されている。更に、リードスイッチ７の他端の端子は、ターミナル１２にＣ点で直接ハンダ付けされている。ハウジング５の下端の細径部には、マグネット９を有したフロート１０が遊嵌されている。
【０００４】
【発明が解決しようとする課題】
しかし、上述のように図４に示す従来のフロート式液面計では、作業工数も多く、リードスイッチの高さ位置を正確に固定するために、多くの時間を必要としていた。また、接着シール材のコストが高いと云う欠点が存在した。更に、図５に示す従来例では、図４の従来例を改良する為に提案されたものであるが、ハンダ付けの箇所がＡ、Ｂ、Ｃの３箇所となり、作業工数が逆に多くなっている。また、部品点数も多くコスト高であると共に、リードスイッチの位置精度も改善されていないと云う欠点が存在した。
【０００５】
本発明の目的は、これら従来の問題点に鑑みなされたもので、精度の向上を図る事ができるフロート式液面計を提供することにある。
【０００６】
【課題を解決するための手段】
上記目的を達成するために、本発明のフロート式液面計は、中空状のハウジングと、該ハウジングの上端開口部を閉塞すると共にターミナルが埋設されたキャップと、前記ターミナルの先端部に固定され、前記ハウジングの内部に配設されるリードスイッチと、該リードスイッチの内蔵されたハウジング部の外周に遊嵌されたフロートと、該フロートの頂部に固定されたマグネットとからなり、前記キャップが前記ハウジングの上端開口部に閉塞された際には当該キャップの上面とハウジングの頂面とが同一基準面となり、前記キャップの上面と下端面との寸法が正確に設定され、リードスイッチの端子はその長さが一定に設定され、該リードスイッチの一方の端子の先端を前記キャップの下端面に突き当てた状態で前記ターミナルに位置固定されて前記キャップが前記ハウジングに面一に閉塞される事により、リードスイッチの前記ハウジングの頂面に対する位置を設定できるように構成されたことを特徴とするものである。
【０００７】
【発明の実施の形態】
以下、本発明の実施例について、図面を参照しつつ説明する。図１は本発明の一実施例であるフロート式液面計を示す縦断面図、図２は同フロート式液面計の使用状態を示す縦断面図である。
【０００８】
ここで、フロート式液面計は、中空状のハウジング１６と、このハウジング１６の上端開口部１６ａを閉塞すると共にターミナル１７が埋設されたキャップ１８と、前記ターミナル１７の先端部に固定され、前記ハウジング１６の内部に配設されるリードスイッチ１９と、このリードスイッチ１９の内蔵された細径のハウジング部１６ｂの外周に遊嵌されたフロート２０と、該フロート２０の頂部に固定されたマグネット２１とから構成されている。
【０００９】
ハウジング１６は、中空の円筒形をしており、開口部１６ａにキャップ１８が嵌合する様に構成されている。両者を嵌合した際、キャップ１８の上面とハウジング１６の頂面とは、同一基準面で面一となるように形成されている。
【００１０】
キャップ１８の上面１８ａと下端面１８ｂとの寸法を正確に設定しておく。また、キャップ１８には、下端位置の異なる２本のターミナル１７ａ、１７ｂが挿通されている。ターミナル１７ａは、先端部が長くリードスイッチ１９の下方の端子１９ａが取り付け可能なＵ字溝２４が形成されている。また、ターミナル１７ｂは、先端部が短く、リードスイッチ１９の上方の端子１９ａが挿通可能な円環２３が形成されている（図３参照）。
【００１１】
リードスイッチ１９は、両端に長さが一定に設定された端子１９ａが形成されている。また、細径のハウジング部１６ｂの下端には、ストッパー２２が取り付けられており、フロート２０が落下するのを防止している。
【００１２】
次に、以上のように構成されたフロート式液面計の組立手順について説明する。先ず、ハウジング１６の細径のハウジング部１６ｂにフロート２０を挿通した後、最下端にストッパー２２を固定する。
【００１３】
ターミナル１７の取り付けられたキャップ１８の下端面１８ｂにリードスイッチ１９の端子１９ａを当接させる。この時、端子１９ａはターミナル１７ｂの円環２３内に挿通されている。上部の端子１９ａの先端をキャップの下端面１８ｂに当接させると同時に、下方の端子１９ａをＵ字溝２４に挿入し、夫々ハンダ付けしてリードスイッチ１９をキャップ１８に固定する。
【００１４】
然る後、ハウジング１６の開口部１６ａにキャップ１８を嵌合する。リードスイッチ１９は、キャップ１８の下端面１８ｂに当接させるのみで、キャップ１８の上面に対するとともに、前記ハウジング１６の頂面に対して正確な高さ位置に固定される。よって、容易にリードスイッチ１９を保持固定できる。また、ハンダ付けする箇所が２箇所で済むので、作業工数の低減を図る事ができる。
【００１５】
図２は、フロート２０が上昇し、リードスイッチ１９がＯＦＦとなった状態を示すものである。このような状態から、液面が低下してフロート２０が降下すると、マグネット２１のよってリードスイッチ１９がＯＮとなり、信号を発する。このＯＮとなるリードスイッチ１９の高さ位置が正確に設定できるので、性能の向上が達成できる。このように、本発明のフロート式液面計は、熟練した作業者による事なく、安定した品質の製品を提供する事ができる。
【００１６】
尚、本発明は以上の実施例に限ることなく本発明の技術思想に基づいて種々の設計変更が可能である。
【００１７】
【発明の効果】
以上説明したように、本発明のフロート式液面計では、中空状のハウジングと、該ハウジングの上端開口部を閉塞すると共にターミナルが埋設されたキャップと、前記ターミナルの先端部に固定され、前記ハウジングの内部に配設されるリードスイッチと、該リードスイッチの内蔵されたハウジング部の外周に遊嵌されたフロートと、該フロートの頂部に固定されたマグネットとからなり、前記キャップが前記ハウジングの上端開口部に閉塞された際には当該キャップの上面とハウジングの頂面とが同一基準面となり、前記キャップの上面と下端面との寸法が正確に設定され、リードスイッチの端子はその長さが一定に設定され、該リードスイッチの一方の端子の先端を前記キャップの下端面に突き当てた状態で前記ターミナルに位置固定されて前記キャップが前記ハウジングに面一に閉塞される事により、リードスイッチの前記ハウジングの頂面に対する位置を設定できるように構成したので、長さの異なる２個の端子にリードスイッチを直接ハンダ付け等で固定すると共に、Ａ点に端子の一端を突き当てる事によって位置の精度を保持する事ができる。また、熟練工によらなくとも品質面でのバラツキもなく、性能の向上を図る事ができる。更に、作業工数と部品点数の低減によりコストを低くする事ができる。
【図面の簡単な説明】
【図１】  本発明の一実施例であるフロート式液面計を示す縦断面図である。
【図２】  同フロート式液面計の使用状態を示す縦断面図である。
【図３】  同フロート式液面計の要部斜視図である。
【図４】  従来のフロート式液面計の一例を示す縦断面図である。
【図５】  従来のフロート式液面計の別の例を示す縦断面図である。
【符号の説明】
５          ハウジング
５ａ        中空部
６          引き出し線
７          リードスイッチ
８          接着シール材
９          マグネット
１０          フロート
１１          ストッパー
１２          ターミナル
１３          キャップ
１４          ワイヤー
１５          絶縁チューブ
１６          ハウジング
１６ａ        開口部
１６ｂ        細径のハウジング部
１７          ターミナル
１８          キャップ
１８ａ        上面
１８ｂ        下端面
１９          リードスイッチ
１９ａ        端子
２０          フロート
２１          マグネット
２２          ストッパー
２３          円環
２４          Ｕ字溝
【図１】
0003725290.tif 000002
【図２】
0003725290.tif 000003
【図３】
0003725290.tif 000004
【図４】
0003725290.tif 000005
【図５】
0003725290.tif 000006